(57)【特許請求の範囲】
【請求項１】
移動しながら原稿に光照射する移動体と、前記移動体に無線給電を行う装置本体と、を有する画像読取装置であって、
前記移動体は、
複数の受電コイルと、
当該複数の受電コイルが受電電力を用いて前記移動体内部の負荷に給電する給電回路と、を備えており、
前記装置本体は、前記移動体の移動に伴う前記受電コイルの軌道に沿って複数配設された給電コイルを備え、
何れの受電コイルも、当該受電コイルの軌道に沿って配設された前記給電コイルとの給電効率が前記移動体の移動に伴って変動し、かつ、
前記移動体の移動中において、１の受電コイルに係る給電効率が低下する位置では、他の受電コイルに係る給電効率が上昇するように、前記給電コイルと前記受電コイルとが配置されており、
前記給電回路は、前記移動体の移動中において、前記複数の受電コイルのうち給電効率が最も高くなった受電コイルの受電電力を順次用いて給電し、
前記複数の受電コイルは、前記移動体の移動に伴う軌道が互いに重複しないように配設されており、
前記複数の給電コイルは、前記複数の受電コイルのそれぞれの軌道に沿う状態で複数の給電コイル列をなしており、かつ、
前記複数の給電コイル列は、何れも給電コイルが一定間隔で列設されており、
前記間隔は、何れの給電コイル列においても同じであり、
前記複数の受電コイルは、前記移動方向に直交する方向に一列に並んだ状態で配設されており、
前記複数の給電コイル列の先頭からＮ番目の給電コイルは、前記移動方向に直交する方向に並んでおらず、前記移動方向において互いにずれた位置に配設されている
ことを特徴とする画像読取装置。
【請求項２】
移動しながら原稿に光照射する移動体と、前記移動体に無線給電を行う装置本体と、を有する画像読取装置であって、
前記移動体は、
複数の受電コイルと、
当該複数の受電コイルが受電電力を用いて前記移動体内部の負荷に給電する給電回路と、を備えており、
前記装置本体は、前記移動体の移動に伴う前記受電コイルの軌道に沿って複数配設された給電コイルを備え、
何れの受電コイルも、当該受電コイルの軌道に沿って配設された前記給電コイルとの給電効率が前記移動体の移動に伴って変動し、かつ、
前記移動体の移動中において、１の受電コイルに係る給電効率が低下する位置では、他の受電コイルに係る給電効率が上昇するように、前記給電コイルと前記受電コイルとが配置されており、
前記給電回路は、前記移動体の移動中において、前記複数の受電コイルのうち給電効率が最も高くなった受電コイルの受電電力を順次用いて給電し、
平面視において前記移動方向に直交し、かつ前記受電コイルのコイル軸に対して直交する揺動軸周りに当該受電コイルを揺動させる第１の揺動手段と、
平面視において前記移動方向に直交し、かつ前記給電コイルのコイル軸に対して直交する揺動軸周りに当該給電コイルを揺動させる第２の揺動手段と、を備え、
前記第１の揺動手段は、前記移動体の移動に従って、前記移動方向において前記受電コイルに最も近い給電コイルに当該受電コイルのコイル軸が向かうように当該受電コイルを揺動させ、
前記第２の揺動手段は、前記移動体の移動に従って、前記移動方向において前記受電コイルに最も近い給電コイルのコイル軸が当該受電コイルに向かうように当該給電コイルを揺動させる
ことを特徴とする画像読取装置。
【請求項３】
移動しながら原稿に光照射する移動体と、前記移動体に無線給電を行う装置本体と、を有する画像読取装置であって、
前記移動体は、
複数の受電コイルと、
当該複数の受電コイルが受電電力を用いて前記移動体内部の負荷に給電する給電回路と、を備えており、
前記装置本体は、前記移動体の移動に伴う前記受電コイルの軌道に沿って複数配設された給電コイルを備え、
何れの受電コイルも、当該受電コイルの軌道に沿って配設された前記給電コイルとの給電効率が前記移動体の移動に伴って変動し、かつ、
前記移動体の移動中において、１の受電コイルに係る給電効率が低下する位置では、他の受電コイルに係る給電効率が上昇するように、前記給電コイルと前記受電コイルとが配置されており、
前記給電回路は、前記移動体の移動中において、前記複数の受電コイルのうち給電効率が最も高くなった受電コイルの受電電力を順次用いて給電し、
前記移動体の移動に従って、前記受電コイルを前記移動体に対して前記移動方向に往復移動させる往復移動手段を備え、
前記往復移動手段は、
前記受電コイルのコイル軸が、前記移動方向において隣り合う給電コイルの中間位置を通過したら、前記移動体に対して前記移動方向に当該受電コイルを移動させ、
前記受電コイルのコイル軸が、前記移動方向において前記受電コイルに最も近い給電コイルのコイル軸を通過したら、前記移動体に対して前記移動方向とは反対方向に当該受電コイルを移動させる
ことを特徴とする画像読取装置。
【請求項４】
移動しながら原稿に光照射する移動体と、前記移動体に無線給電を行う装置本体と、を有する画像読取装置であって、
前記移動体は、
複数の受電コイルと、
当該複数の受電コイルが受電電力を用いて前記移動体内部の負荷に給電する給電回路と、を備えており、
前記装置本体は、前記移動体の移動に伴う前記受電コイルの軌道に沿って複数配設された給電コイルを備え、
何れの受電コイルも、当該受電コイルの軌道に沿って配設された前記給電コイルとの給電効率が前記移動体の移動に伴って変動し、かつ、
前記移動体の移動中において、１の受電コイルに係る給電効率が低下する位置では、他の受電コイルに係る給電効率が上昇するように、前記給電コイルと前記受電コイルとが配置されており、
前記給電回路は、前記移動体の移動中において、前記複数の受電コイルのうち給電効率が最も高くなった受電コイルの受電電力を順次用いて給電し、
前記移動体の移動に従って、前記給電コイルを前記移動方向に往復移動させる往復移動手段を備え、
前記往復移動手段は、
前記受電コイルのコイル軸が、前記移動方向において隣り合う給電コイルの中間位置を通過したら前記移動方向とは反対方向に前記給電コイルを移動させ、
前記受電コイルのコイル軸が、前記移動方向において前記受電コイルに最も近い給電コイルのコイル軸を通過したら前記移動体の移動方向に当該給電コイルを移動させる
ことを特徴とする画像読取装置。
【請求項５】
移動しながら原稿に光照射する移動体と、前記移動体に無線給電を行う装置本体と、を有する画像読取装置であって、
前記移動体は、
複数の受電コイルと、
当該複数の受電コイルが受電電力を用いて前記移動体内部の負荷に給電する給電回路と、を備えており、
前記装置本体は、前記移動体の移動に伴う前記受電コイルの軌道に沿って複数配設された給電コイルを備え、
何れの受電コイルも、当該受電コイルの軌道に沿って配設された前記給電コイルとの給電効率が前記移動体の移動に伴って変動し、かつ、
前記移動体の移動中において、１の受電コイルに係る給電効率が低下する位置では、他の受電コイルに係る給電効率が上昇するように、前記給電コイルと前記受電コイルとが配置されており、
前記給電回路は、前記移動体の移動中において、前記複数の受電コイルのうち給電効率が最も高くなった受電コイルの受電電力を順次用いて給電し、
読み取るべき原稿の前記移動方向におけるサイズに比例して、前記移動方向における前記給電コイルどうしの間隔を調整する間隔調整手段を備える
ことを特徴とする画像読取装置。
【請求項６】
前記複数の受電コイルごとに前記移動方向における位置を検出する位置検出手段と、
前記複数の給電コイルごとに給電電圧を制御する給電制御手段と、を備え、
前記給電制御手段は、前記移動体の移動中に前記複数の受電コイルごとに結合係数がもっとも高くなる給電コイルにのみ給電電圧を印加する
ことを特徴とする請求項１から５の何れかに記載の画像読取装置。
【請求項７】
移動しながら原稿に光照射する移動体と、前記移動体に無線給電を行う装置本体と、を有する画像読取装置であって、
前記移動体は、
複数の受電コイルと、
当該複数の受電コイルが受電電力を用いて前記移動体内部の負荷に給電する給電回路と、を備えており、
前記装置本体は、前記移動体の移動に伴う前記受電コイルの軌道に沿って複数配設された給電コイルを備え、
何れの受電コイルも、当該受電コイルの軌道に沿って配設された前記給電コイルとの給電効率が前記移動体の移動に伴って変動し、かつ、
前記移動体の移動中において、１の受電コイルに係る給電効率が低下する位置では、他の受電コイルに係る給電効率が上昇するように、前記給電コイルと前記受電コイルとが配置されており、
前記給電回路は、前記移動体の移動中において、前記複数の受電コイルのうち給電効率が最も高くなった受電コイルの受電電力を順次用いて給電し、
前記複数の受電コイルごとに前記移動方向における位置を検出する位置検出手段と、
前記複数の給電コイルごとに給電電圧を制御する給電制御手段と、を備え、
前記給電制御手段は、前記移動体の移動中に前記複数の受電コイルごとに結合係数がもっとも高くなる給電コイルにのみ給電電圧を印加し、
前記移動体の移動中に前記複数の受電コイルごとの受電電圧を検出する電圧検出手段を備え、
前記給電制御手段は、前記電圧検出手段がプレスキャン又は前回の原稿読み取りの際に検出した受電電圧に応じて給電電圧を制御する
ことを特徴とする画像読取装置。
【発明の詳細な説明】
【技術分野】
【０００１】
本発明は、画像読取装置及び画像形成装置に関し、特に、キャリッジへの無線給電を安定化する技術に関する。
【背景技術】
【０００２】
近年、原稿から画像情報を読み取るイメージセンサーとして、フラットベッドスキャナーが広く普及している。フラットベッドスキャナーは、原稿ガラス上に載置された原稿を原稿ガラスに沿って副走査方向に移動するキャリッジを用いて読み取るもので、縮小光学系タイプや等倍光学系タイプがある。
キャリッジは、原稿を読み取るたびに移動する必要があるため、キャリッジに給電する電源配線もまた原稿の読み取りに伴って屈曲伸張を繰り返す。このため、キャリッジの電源配線には機械的ストレスが蓄積することに起因して断線するリスクがある。
【０００３】
このような問題に対して、繰り返しの屈曲に対して強い耐屈曲電線や可撓性のある部材に導電体を形成したＦＦＣ（Flexible Flat Cable）をキャリッジの電源配線に用いれば、キャリッジへの給電線が断線するリスクを低減することができ、また、キャリッジが移動する際に受ける機械的な抵抗を軽減することができる。
しかしながら、フラットベッドスキャナーを長寿命化し、かつ原稿の読み取り速度を高速化しようとすると、電源配線に対して更に高い耐久性が要求される。また、キャリッジの移動が高速化されると、電源配線の屈曲負荷が移動速度に与える影響が大きくなって、画像品質の低下が無視できなくなる。
【０００４】
このため、キャリッジに対して無線給電によって電力を供給する提案がなされている。無線給電によれば、電源配線の屈曲疲労による断線や屈曲負荷によるキャリッジの速度変動をなくすことができるので、高い耐久性と画像品質を達成することができる。
【先行技術文献】
【特許文献】
【０００５】
【特許文献１】特開２０１１−１１０９２０号公報
【特許文献２】特開２０１１−１７６９４９号公報
【発明の概要】
【発明が解決しようとする課題】
【０００６】
キャリッジのホーム位置など、特定の位置のみで無線給電を行う場合には、移動中の電力を賄うためにキャリッジに２次電池が搭載される。すると、２次電池の重量によってキャリッジの移動速度が制約を受けたり、充電に必要なサイクルタイムを確保するために、画像の読み取り開始が遅れたり高速での繰り返し動作ができなくなったりする等の弊害がある。また、２次電池を用いることはコスト上昇につながるため、キャリッジには２次電池を搭載しない方が望ましい。
【０００７】
一方、受電コイルの移動経路に対向するように副走査方向に沿って給電コイルを列設すれば、キャリッジの位置に関わらず無線給電を行うことができる。
しかしながら、キャリッジの移動中に途切れなく給電するためには、副走査方向に沿って多数の給電コイルを列設しなければならないので、コスト上昇を免れることができない。また、コスト低減のために給電コイル数を少なくすると、給電コイルと受電コイルとの位置関係によって結合係数が小さくなり、受電電圧が低下する。すると、原稿を照明する光源光量が低下して、読み取り画質が低下する恐れが生じる。だからといって、給電コイルの印加電圧を高くすると省エネルギーの要請に反してしまう。
【０００８】
本発明は、上述のような問題に鑑みて為されたものであって、コスト上昇を抑制しながら、キャリッジへの無線給電を安定化することができる画像読取装置及び画像形成装置を提供することを目的とする。
【課題を解決するための手段】
【０００９】
上記目的を達成するため、本発明に係る画像読取装置は、移動しながら原稿に光照射する移動体と、前記移動体に無線給電を行う装置本体と、を有する画像読取装置であって、前記移動体は、複数の受電コイルと、当該複数の受電コイルが受電電力を用いて前記移動体内部の負荷に給電する給電回路と、を備えており、前記装置本体は、前記移動体の移動に伴う前記受電コイルの軌道に沿って複数配設された給電コイルを備え、何れの受電コイルも、当該受電コイルの軌道に沿って配設された前記給電コイルとの給電効率が前記移動体の移動に伴って変動し、かつ、前記移動体の移動中において、１の受電コイルに係る給電効率が低下する位置では、他の受電コイルに係る給電効率が上昇するように、前記給電コイルと前記受電コイルとが配置されており、前記給電回路は、前記移動体の移動中において、前記複数の受電コイルのうち給電効率が最も高くなった受電コイルの受電電力を順次用いて給電し、前記複数の受電コイルは、前記移動体の移動に伴う軌道が互いに重複しないように配設されており、前記複数の給電コイルは、前記複数の受電コイルのそれぞれの軌道に沿う状態で複数の給電コイル列をなしており、かつ、前記複数の給電コイル列は、何れも給電コイルが一定間隔で列設されており、前記間隔は、何れの給電コイル列においても同じであり、前記複数の受電コイルは、前記移動方向に直交する方向に一列に並んだ状態で配設されており、前記複数の給電コイル列の先頭からＮ番目の給電コイルは、前記移動方向に直交する方向に並んでおらず、前記移動方向において互いにずれた位置に配設されていることを特徴とする。
【発明の効果】
【００１０】
このようにすれば、二次電池などの蓄電機構が不要になるので移動体の重量増加が防止される。給電コイルの増加によるコストアップが防止される。また、移動体が有する光源への無線給電を安定化することができる。
【００１３】
また、移動しながら原稿に光照射する移動体と、前記移動体に無線給電を行う装置本体と、を有する画像読取装置であって、前記移動体は、複数の受電コイルと、当該複数の受電コイルが受電電力を用いて前記移動体内部の負荷に給電する給電回路と、を備えており、前記装置本体は、前記移動体の移動に伴う前記受電コイルの軌道に沿って複数配設された給電コイルを備え、何れの受電コイルも、当該受電コイルの軌道に沿って配設された前記給電コイルとの給電効率が前記移動体の移動に伴って変動し、かつ、前記移動体の移動中において、１の受電コイルに係る給電効率が低下する位置では、他の受電コイルに係る給電効率が上昇するように、前記給電コイルと前記受電コイルとが配置されており、前記給電回路は、前記移動体の移動中において、前記複数の受電コイルのうち給電効率が最も高くなった受電コイルの受電電力を順次用いて給電し、平面視において前記移動方向に直交し、かつ前記受電コイルのコイル軸に対して直交する揺動軸周りに当該受電コイルを揺動させる第１の揺動手段と、平面視において前記移動方向に直交し、かつ前記給電コイルのコイル軸に対して直交する揺動軸周りに当該給電コイルを揺動させる第２の揺動手段と、を備え、前記第１の揺動手段は、前記移動体の移動に従って、前記移動方向において前記受電コイルに最も近い給電コイルに当該受電コイルのコイル軸が向かうように当該受電コイルを揺動させ、前記第２の揺動手段は、前記移動体の移動に従って、前記移動方向において前記受電コイルに最も近い給電コイルのコイル軸が当該受電コイルに向かうように当該給電コイルを揺動させることを特徴とする。
【００１４】
また、移動しながら原稿に光照射する移動体と、前記移動体に無線給電を行う装置本体と、を有する画像読取装置であって、前記移動体は、複数の受電コイルと、当該複数の受電コイルが受電電力を用いて前記移動体内部の負荷に給電する給電回路と、を備えており、前記装置本体は、前記移動体の移動に伴う前記受電コイルの軌道に沿って複数配設された給電コイルを備え、何れの受電コイルも、当該受電コイルの軌道に沿って配設された前記給電コイルとの給電効率が前記移動体の移動に伴って変動し、かつ、前記移動体の移動中において、１の受電コイルに係る給電効率が低下する位置では、他の受電コイルに係る給電効率が上昇するように、前記給電コイルと前記受電コイルとが配置されており、前記給電回路は、前記移動体の移動中において、前記複数の受電コイルのうち給電効率が最も高くなった受電コイルの受電電力を順次用いて給電し、前記移動体の移動に従って、前記受電コイルを前記移動体に対して前記移動方向に往復移動させる往復移動手段を備え、前記往復移動手段は、前記受電コイルのコイル軸が、前記移動方向において隣り合う給電コイルの中間位置を通過したら、前記移動体に対して前記移動方向に当該受電コイルを移動させ、前記受電コイルのコイル軸が、前記移動方向において前記受電コイルに最も近い給電コイルのコイル軸を通過したら、前記移動体に対して前記移動方向とは反対方向に当該受電コイルを移動させることを特徴とする。
【００１５】
また、移動しながら原稿に光照射する移動体と、前記移動体に無線給電を行う装置本体と、を有する画像読取装置であって、前記移動体は、複数の受電コイルと、当該複数の受電コイルが受電電力を用いて前記移動体内部の負荷に給電する給電回路と、を備えており、前記装置本体は、前記移動体の移動に伴う前記受電コイルの軌道に沿って複数配設された給電コイルを備え、何れの受電コイルも、当該受電コイルの軌道に沿って配設された前記給電コイルとの給電効率が前記移動体の移動に伴って変動し、かつ、前記移動体の移動中において、１の受電コイルに係る給電効率が低下する位置では、他の受電コイルに係る給電効率が上昇するように、前記給電コイルと前記受電コイルとが配置されており、前記給電回路は、前記移動体の移動中において、前記複数の受電コイルのうち給電効率が最も高くなった受電コイルの受電電力を順次用いて給電し、前記移動体の移動に従って、前記給電コイルを前記移動方向に往復移動させる往復移動手段を備え、前記往復移動手段は、前記受電コイルのコイル軸が、前記移動方向において隣り合う給電コイルの中間位置を通過したら前記移動方向とは反対方向に前記給電コイルを移動させ、前記受電コイルのコイル軸が、前記移動方向において前記受電コイルに最も近い給電コイルのコイル軸を通過したら前記移動体の移動方向に当該給電コイルを移動させることを特徴とする。
【００１６】
また、移動しながら原稿に光照射する移動体と、前記移動体に無線給電を行う装置本体と、を有する画像読取装置であって、前記移動体は、複数の受電コイルと、当該複数の受電コイルが受電電力を用いて前記移動体内部の負荷に給電する給電回路と、を備えており、前記装置本体は、前記移動体の移動に伴う前記受電コイルの軌道に沿って複数配設された給電コイルを備え、何れの受電コイルも、当該受電コイルの軌道に沿って配設された前記給電コイルとの給電効率が前記移動体の移動に伴って変動し、かつ、前記移動体の移動中において、１の受電コイルに係る給電効率が低下する位置では、他の受電コイルに係る給電効率が上昇するように、前記給電コイルと前記受電コイルとが配置されており、前記給電回路は、前記移動体の移動中において、前記複数の受電コイルのうち給電効率が最も高くなった受電コイルの受電電力を順次用いて給電し、読み取るべき原稿の前記移動方向におけるサイズに比例して、前記移動方向における前記給電コイルどうしの間隔を調整する間隔調整手段を備えることを特徴とする。
また、前記複数の受電コイルごとに前記移動方向における位置を検出する位置検出手段と、前記複数の給電コイルごとに給電電圧を制御する給電制御手段と、を備え、前記給電制御手段は、前記移動体の移動中に前記複数の受電コイルごとに結合係数がもっとも高くなる給電コイルにのみ給電電圧を印加してもよい。
【００１７】
また、移動しながら原稿に光照射する移動体と、前記移動体に無線給電を行う装置本体と、を有する画像読取装置であって、前記移動体は、複数の受電コイルと、当該複数の受電コイルが受電電力を用いて前記移動体内部の負荷に給電する給電回路と、を備えており、前記装置本体は、前記移動体の移動に伴う前記受電コイルの軌道に沿って複数配設された給電コイルを備え、何れの受電コイルも、当該受電コイルの軌道に沿って配設された前記給電コイルとの給電効率が前記移動体の移動に伴って変動し、かつ、前記移動体の移動中において、１の受電コイルに係る給電効率が低下する位置では、他の受電コイルに係る給電効率が上昇するように、前記給電コイルと前記受電コイルとが配置されており、前記給電回路は、前記移動体の移動中において、前記複数の受電コイルのうち給電効率が最も高くなった受電コイルの受電電力を順次用いて給電し、前記複数の受電コイルごとに前記移動方向における位置を検出する位置検出手段と、前記複数の給電コイルごとに給電電圧を制御する給電制御手段と、を備え、前記給電制御手段は、前記移動体の移動中に前記複数の受電コイルごとに結合係数がもっとも高くなる給電コイルにのみ給電電圧を印加し、前記移動体の移動中に前記複数の受電コイルごとの受電電圧を検出する電圧検出手段を備え、前記給電制御手段は、前記電圧検出手段がプレスキャン又は前回の原稿読み取りの際に検出した受電電圧に応じて給電電圧を制御することを特徴とする。
【図面の簡単な説明】
【００１８】
【図１】第１の実施の形態に係る画像形成装置の主要な構成を示す図である。
【図２】スキャナー１０１の主要な構成を示す図であって、（ａ）は平面図であり、（ｂ）は断面斜視図である。
【図３】受電コイル２００の出力電圧から供給電圧を生成するための回路図である。
【図４】キャリッジ２３０の位置とＡＭ変調回路の出力電圧、整流後の出力電圧及びキャリッジ２３０への供給電圧との関係を表したグラフであって、（ａ）は本実施の形態を示し、（ｂ）はキャリッジに受電コイルが１つしかない場合を示している。
【図５】受電コイル２００が３つの場合の概略構成（ａ）と、供給電圧（ｂ）とを例示する図である。
【図６】第２の実施の形態に係るスキャナー１０１の主要な構成を示す図であって、（ａ）は平面図であり、（ｂ）は断面斜視図である。
【図７】はスキャナー１０１の主要な構成を示す図であって、（ａ）は平面図であり、（ｂ）は正面側から見た断面斜視図である。
【図８】（ａ）は受電コイル２００の揺動機構の正面図であり、（ｂ）は受電コイル２００の揺動機構の平面図である。
【図９】（ａ）は給電コイル２１０を揺動させるためのガイド機構を説明する図であり、（ｂ）は、ガイド板７１０を往復移動させた場合における給電コイル２１０の姿勢の変化を示す図である。
【図１０】受電コイル２００と給電コイル２１０との位置関係と結合係数との関係を説明する図である。
【図１１】受電コイル２００の下流にある給電コイルも傾斜させた場合を示す図であって、キャリッジ２３０の移動に従って（ａ）から（ｅ）へ傾斜状態が変化する。
【図１２】キャリッジ２３０に対して受電コイル２００を往復移動させる機構を示す図であって、キャリッジ２３０の移動に従って（ａ）から（ｅ）へ状態が変化する。
【図１３】キャリッジ２３０に対して往復移動する受電コイル２００と給電コイル２１０との位置関係を示す図であって、キャリッジ２３０の移動に従って（ａ）から（ｇ）へ位置関係が変化する。
【図１４】キャリッジ２３０の位置と供給電圧との関係を示すグラフである。
【図１５】スキャナー１０１の装置本体に対して給電コイル２１０を往復移動させるための駆動機構を示す図である。
【図１６】スキャナー１０１の装置本体に対して往復移動する給電コイル２１０と受電コイル２００との位置関係を示す図であって、キャリッジ２３０の移動に従って（ａ）から（ｅ）へ位置関係が変化する。
【図１７】給電コイル２１０の駆動機構を示す平面図であって、（ａ）は大サイズ原稿を読み取る場合を示し、（ｂ）は小サイズ原稿を読み取る場合を示す。
【図１８】（ａ）は大サイズ原稿を読み取る際の給電コイル２１０の間隔を示し、（ｂ）は小サイズ原稿を読み取る際の給電コイル２１０の間隔を示している。
【図１９】給電回路１９００の主要な構成を示す回路図である。
【図２０】（ａ）は受電コイル２００と給電コイル２１０の位置関係を例示し、（ｂ）はキャリッジ２３０の位置と受電電圧の関係を示すグラフであり、（ｃ）は給電テーブルを説明するタイミングチャートである。
【図２１】（ａ）はオーバーラップ期間がない場合の給電テーブルを例示し、（ｂ）はオーバーラップ期間がある場合の給電テーブルを例示する。
【図２２】給電テーブルを補正するための給電回路１９００の主要な構成を示す回路図である。
【図２３】給電電圧の印加開始、停止タイミングを補正するために制御部１９０１が実行する処理を示すフローチャートである。
【図２４】（ａ）、（ｂ）はそれぞれ補正前後の受電電圧と補正前後の給電テーブルを提示する図である。
【発明を実施するための形態】
【００１９】
以下、本発明に係る画像読取装置及び画像形成装置の実施の形態について、図面を参照しながら説明する。
［１］第１の実施の形態
まず、本発明の第１の実施の形態について説明する。
本実施の形態に係る画像読取装置は、キャリッジの移動方向（副走査方向）に沿って中心位置の間隔（以下、「中心間隔」という。）が一定になるように複数の給電コイルが装置本体に列設されると共に、副走査方向に沿って中心間隔が一定になるように複数の受電コイルがキャリッジに列設されており、受電コイルの中心間隔を給電コイルの中心間隔の非整数倍にすることによって、キャリッジの受電電圧を安定化することを特徴とする。
【００２０】
（１−１）画像形成装置の構成
まず、本実施の形態に係る画像形成装置の構成について説明する。
なお、本明細書において、実施の形態の間で共通する部材がある場合には共通の符号が付与されている。また、平面視において副走査方向に直交する方向を主走査方向といい、主走査方向と副走査方向との何れにも直交する方向を鉛直方向というものとする。更に、副走査方向におけるキャリッジのホーム側を「上流側」といい、原稿読み取り後の移動先側を「下流側」というものとする。
【００２１】
図１に示されるように、本実施の形態に係る画像形成装置１は、いわゆるタンデム型のカラー複合機（MFP: Multi-Function Peripheral）であって、画像読取部１００、画像形成部１１０及び給紙部１２０を備えている。画像読取部１００はスキャナー１０１と自動原稿搬送装置（ADF: Automatic Document Feeder）１０２とを備えており、自動原稿搬送装置１０２は原稿トレイ１０３に載置された原稿を１枚ずつスキャナー１０１に供給する。スキャナー１０１は、自動原稿搬送装置１０２が供給する原稿を読み取る他、後述する原稿台ガラス上に載置された原稿を読み取って画像データを生成する。
【００２２】
画像形成部１１０は、例えば、画像読取部１００が生成した画像データに基づいて画像形成を実行する。画像形成部１１０は、画像形成ユニット１１１にてイエロー（Ｙ）、マゼンタ（Ｍ）、シアン（Ｃ）及びブラック（Ｋ）の色毎にトナー像を形成し、中間転写ベルト１１２上に順次重ね合わせて静電転写（１次転写）しカラートナー像とする。中間転写ベルト１１２は無端状のベルトであって、矢印Ｃ方向に回転走行する。
【００２３】
給紙部１２０は給紙トレイ１２１から記録シートを供給する。供給された記録シートは２次転写ニップ１１３まで搬送され、中間転写ベルト１１２からカラートナー像を静電転写（２次転写）される。その後、記録シートは定着部１１４においてカラートナー像を熱定着され、装置外の排出トレイ上に排出される。
（１−２）スキャナー１０１の構成
次に、スキャナー１０１の構成について説明する。
【００２４】
図２（ａ）はスキャナー１０１の平面図であり、図２（ｂ）は図２（ａ）におけるＢ−Ｂ線での断面斜視図である。
スキャナー１０１は、原稿Ｄを載置するためのプラテンガラス２２０、プラテンガラス２２０上の原稿Ｄから画像を読み取るキャリッジ２３０、キャリッジ２３０を滑動させるためのレール２４０及びキャリッジ２３０に給電するための給電コイル２１０を備えている。給電コイル２１０は所謂スパイラルコイルであって、巻き線がスパイラル状に配線されている。以下、スキャナー１０１のキャリッジ２３０を除く部分を「装置本体」というものとする。
【００２５】
キャリッジ２３０には、光源２３１、読み取り光学系を構成するミラー２３４、２３５、２３６、２３７、２３８及び撮像素子２３２等が搭載されており、一体型のユニットスキャン方式を採用している。撮像素子２３２はＣＣＤ（Charge Coupled Device）基板２３９に実装されている。
原稿Ｄを読み取る際には、キャリッジ２３０は、不図示の駆動機構によってレール２４０に沿って副走査方向（矢印Ａ方向）に一定速度で移動しながら、光源２３１にて原稿Ｄの目線位置（読み取り位置）２３３を下方からプラテンガラス２２０越しに光照射する。そして、原稿Ｄからの反射光を読み取り光学系にて撮像素子２３２に導くことによって、原稿Ｄから画像を読み取る。
【００２６】
このようにして生成された画像データは、ＣＣＤ基板２３９から装置本体へ無線通信によって順次転送される。無線通信には、例えば、ＩｒＤＡやＢｌｕｅｔｏｏｔｈ(登録商標)を用いることができる。
光源２３１や撮像素子２３２、ＣＣＤ基板２３９を動作させるための電力を得るために、キャリッジ２３０には２つの受電コイル２００ａ、２００ｂが取着されている。受電コイル２００ａ、２００ｂは装置本体に取着されている複数の給電コイル２１０から無線給電を受ける。受電コイル２００ａ、２００ｂもまた給電コイル２１０と同様にスパイラルコイルになっている。
【００２７】
複数の給電コイル２１０は、副走査方向に沿って中心間隔が一定になるように、かつキャリッジ２３０の移動に伴う受電コイル２００ａ、２００ｂの移動経路に対向するように列設されている。受電コイル２００ａ、２００ｂの中心間隔Ｄ１は、給電コイル２１０の中心間隔Ｄ２の１．５倍になっている（図２（ｂ））。すなわち、
Ｄ１＝Ｄ２×１．５＝Ｄ２×（２＋１）／２
であり、この式において「２＋１」の「２」は受電コイル２００ａ、２００ｂの個数である。給電コイル２１０は、原稿Ｄの読み取り開始時に給電電圧（交流電圧）が印加され、読み取りが完了すると給電電圧の印加が停止される。
【００２８】
受電コイル２００ａ、２００ｂが受電した電力は電源回路基板２０１によって電力変換され、光源２３１や撮像素子２３２に給電される。
図３に示されるように、受電コイル２００ａ、２００ｂが受電した電力は、それぞれＡＭ（Amplitude Modulation）変調回路３００ａ、３００ｂによって振幅変調された後、電気抵抗素子３０１ａ、３０１ｂによって降圧され、倍電流整流回路３１０ａ、３１０ｂによって整流される。
【００２９】
倍電流整流回路３１０ａはダイオード３１１ａ、３１２ａ及びリアクトル３１３ａ、３１４ａからなるブリッジ回路である。同様に、倍電流整流回路３１０ｂはダイオード３１１ｂ、３１２ｂ及びリアクトル３１３ｂ、３１４ｂからなるブリッジ回路である。倍電流整流回路３１０ａ、３１０ｂの出力はそれぞれ平滑化コンデンサー３１５ａ、３１５ｂで平滑化される。
【００３０】
平滑化された電力（整流後出力）は逆流防止ダイオード３１６ａ、３１６ｂを経由した後、合成される。合成出力は、更に平滑化コンデンサー３１７で平滑化された後、光源２３１や撮像素子２３２に供給される。
（１−３）受電電圧
次に、キャリッジ２３０の受電電圧について、キャリッジに受電コイルが１つしかない場合と比較しながら説明する。
【００３１】
図４は、副走査方向におけるキャリッジ２３０の位置とＡＭ変調回路の出力電圧、整流後の出力電圧及びキャリッジ２３０への供給電圧との関係を表したグラフであって、（ａ）は本実施の形態を示し、（ｂ）はキャリッジに受電コイルが１つしかない場合を示している。なお、図４において、Ｘ軸は副走査方向におけ
るキャリッジ２３０の位置を表している。
【００３２】
受電コイルと給電コイルとの位置関係が変化すると結合係数が変化するので、受電コイルの受電電圧が変化する。受電コイルと給電コイルとが正対して、受電コイルと給電コイルとの結合係数が最も高くなっている場合には、受電電圧が最も高くなる。また、受電コイルと給電コイルとが正対位置から離れるに従って受電電圧が低下する。このため、隣り合う給電コイルどうしのちょうど中間に受電コイルの中心が対向する場合に受電電圧が最も低くなる。
【００３３】
キャリッジに受電コイルが１つしかない場合には、図４（ｂ）に示されるように、受電コイルと給電コイルとの位置関係に応じてＡＭ変調回路の出力電圧（グラフ４１０）が変動するのに合わせて、この受電電圧を整流した後の出力電圧（グラフ４１１）が変動する。受電コイルが１つしかない場合には、整流後の出力電圧がそのまま供給電圧になるため、供給電圧がキャリッジの必要電圧を下回る可能性がある。
【００３４】
また、供給電圧の最低値をキャリッジの必要電圧以上にするために給電コイルに印加する給電電圧を高くすると、供給電圧の最高値が高くなり過ぎたり、消費電力量が多くなり過ぎたりするため適当でない。
キャリッジへの供給電圧を必要電圧以上に保って正常動作を維持するためには、キャリッジ内に二次電池やキャパシター等の蓄電機構を設ける必要がある。蓄電機構を設けると、蓄電機構の重量や充電時間の確保などのために、キャリッジを高速で繰り返し動作させることが困難になって、生産性が低下してしまう。
【００３５】
一方、本実施の形態においては、キャリッジ２３０に２つの受電コイル２００ａ、２００ｂが設けられており、かつ受電コイル２００ａ、２００ｂの中心間隔Ｄ１が給電コイル２１０の中心間隔Ｄ２の１．５倍になっている。言い換えると、給電コイル２１０の列設周期に対して、１／２位相ずれるように受電コイル２００ａ、２００ｂが配置されている。
【００３６】
このため、隣り合う給電コイルどうしのちょうど中間に一方の受電コイルの中心が対向しており、当該一方の受電コイルと給電コイルとの結合係数が最も低くなる場合には、他方の受電コイルが給電コイルに正対するので、当該他方の受電コイルと給電コイルとの結合係数が最も高くなる。
従って、受電コイル２００ａ、２００ｂの受電電圧は、互いに一方が低下すると他方が上昇するというように相補的に変動する。図４（ａ）においては、受電コイル２００ａの受電電圧４００ａ（細線のグラフ）と受電コイル２００ｂの受電電圧４００ｂ（太線のグラフ）とが、キャリッジ２３０の位置に応じて相補的に変動している。
【００３７】
このため、受電コイル２００ａ、２００ｂの受電電圧を倍電流整流した出力電圧４０１ａ（細かい破線のグラフ）、４０１ｂ（粗い破線のグラフ）もまた相補的に変動するので、これらを合成した供給電圧４０２（太線のグラフ）の変動が抑制される。
一方の受電コイルが給電コイルに正対している場合には、他方の受電コイルの受電電圧がキャリッジ２３０の必要電圧を下回っていても、キャリッジ２３０に必要な電圧を供給することができる。このようにすれば、給電コイルに印加する電圧を下げても、キャリッジ２３０への最低供給電圧を高く維持することができるので、スキャナー１０１の省エネルギー化を図ることができる。
【００３８】
なお、キャリッジ２３０に取着する受電コイルの個数を増やせば、キャリッジ２３０への供給電圧の低下を更に抑制することができる。例えば、受電コイルを３つ設ける場合には、給電コイルの列設周期に対して受電コイルを１／３位相ずつずらして配置すればよい（図５（ａ））。このようにすれば、図５（ｂ）に模式的に示されるように、３つの受電コイルの受電電圧５０１、５０２及び５０３が１／３位相ずつずれることになる。
【００３９】
従って、受電電圧５０１、５０２及び５０３を合成してキャリッジ２３０への供給電圧５００を生成すると、キャリッジ２３０への最低供給電圧ＶLを更に高くすることができる。
ただし、キャリッジ２３０に取着する受電コイル数を増やすと、受電コイルのみならずＡＭ変調回路や倍電流整流回路まで増やさなければならないので、キャリッジ２３０の重量が増加したり、大型化したり、或いはコスト上昇を招いたりするという問題が生じる。このため、キャリッジ２３０に取着する受電コイル数は、本実施の形態によって得ることができる効果と、受電コイル数増加に伴う問題とのトレードオフによって決定すべきである。
【００４０】
［２］第２の実施の形態
次に、本発明の第２の実施の形態について説明する。
本実施の形態に係る画像形成装置は、上記第１の実施の形態に係る画像形成装置と概ね共通の構成を備える一方、副走査方向に沿って給電コイル列２１０が２列設けられており、これに合せて受電コイル２００が配設されている点において相違している。以下、この相違点を中心に本実施の形態を説明する。
【００４１】
なお、本明細書においては、実施の形態の間で共通する部材には共通の符号が付されている。
まず、スキャナー１０１の構成について説明する。図６に示されるように、キャリッジ２３０には、受電コイル２００ａ、２００ｂが副走査方向において同じ位置になるように、かつ、主走査方向に間隔を空けて取着されている。
【００４２】
また、スキャナー１０１の装置本体には、副走査方向に沿って２列の給電コイル列２１０ａ、２１０ｂが設けられている。給電コイル列２１０ａは受電コイル２００ａに対向し、給電コイル列２１０ｂは受電コイル列２００ｂに対向する。
給電コイル列２１０ａにおいて副走査方向に隣り合う給電コイル２１０の中心間隔Ｄ２は、給電コイル列２１０ｂにおいて副走査方向に隣り合う給電コイル２１０の中心間隔Ｄ２´と同じ大きさである。また、給電コイル列２１０ａは、給電コイル列２１０ｂよりも給電コイル２１０の中心間隔Ｄ２の半分、すなわちＤ２／２だけ副走査方向にずれた位置に配置されている。
【００４３】
このため、受電コイル２００ａ、２００ｂの一方が給電コイル２１０に正対している場合には、他方の受電コイルの中心が隣り合う給電コイル２１０の中間に位置することになる。このため、受電コイル２００ａ、２００ｂの受電電圧が相補的に変動するので、キャリッジ２３０への供給電圧の変動が抑えられると共に、最低供給電圧を高めることができる。
【００４４】
更に、本実施の形態においては、上記第１の実施の形態と比較して、給電コイル列を２列設けるので、給電コイル列２１０ａ、２１０ｂにおける給電コイルの間隔Ｄ２、Ｄ２´を広くすることができる。このため、給電コイル列内において隣接する給電コイル間の磁気的な干渉を緩和することができる。また、受電コイル２００ａ、２００ｂをキャリッジ２３０の移動方向に対して複数配置するのに比べ、キャリッジ２３０の移動範囲を広くとることができ、スキャナー１０１のサイズを小型化できる。
【００４５】
［３］第３の実施の形態
次に、本発明の第３の実施の形態について説明する。
本実施の形態に係る画像形成装置は、上記第１の実施の形態に係る画像形成装置と概ね共通の構成を備える一方、受電コイル及び給電コイル列を構成する各給電コイルがキャリッジの移動に合せて姿勢を変化させる点において相違している。以下、この相違点を中心に本実施の形態を説明する。
（３−１）スキャナー１０１の構成
まず、スキャナー１０１の構成について説明する。
【００４６】
図７はスキャナー１０１の主要な構成を示す図であって、図７（ａ）は平面図であり、図７（ｂ）は図７（ａ）における正面側（矢印Ｃ方向）から見た断面斜視図である。
図７に示されるように、スキャナー１０１の装置本体には、ガイド板７００、７０１、７０２、７１０が設けられている。ガイド板７００、７０１、７０２及び７１０は何れも副走査方向に長尺の板状部材である。
【００４７】
ガイド板７００、７０１、７０２はスキャナー１０１の装置本体に固定されており、キャリッジ２３０が副走査方向に移動するにつれて受電コイル２００を揺動させる。ガイド板７１０は、キャリッジ２３０が副走査方向に移動するのに合せて、不図示の駆動源によって副走査方向に往復駆動され、給電コイル２１０を揺動させる。
（３−２）受電コイル２００の揺動機構
次に、受電コイル２００を揺動させるための揺動機構について説明する。
【００４８】
図８（ａ）は受電コイル２００の揺動機構の正面図であり、図８（ｂ）は平面図である。
受電コイル２００は、揺動軸８０２を中心として揺動する。揺動軸８０２は主走査方向に向いており、揺動軸８０２の軸心が受電コイル２００の中心でコイル軸と直交するように、受電コイル２００に固定されている。
【００４９】
ガイド板７００、７０２には、ガイド孔７００ｇ、７０２ｇが設けられている。ガイド孔７００ｇ、７０２ｇは、副走査方向に長尺かつ直線状の貫通孔である。ガイド孔７００ｇ、７０２ｇには揺動軸８０２が貫通するように配設される。このようにすれば、キャリッジ２３０の移動に伴って、揺動軸８０２が副走査方向に導かれる。
揺動軸８０２のガイド板７００を挟んで受電コイル２００の反対側にはアーム８００が固定されている。アーム８００は平板な部材である。揺動軸８０２は、アーム８００の一方の主面に垂直になっている。アーム８００は、揺動軸８０２の固定位置とは異なる位置にガイドピン８０１が固定されている。ガイドピン８０１は円柱状の部材であって、アーム８００の他方の主面に垂直になっている。
【００５０】
揺動軸８０２には、ガイド板７００、７０２のガイド孔７００ｇ、７０２ｇを挟むようにして、ワッシャー８１０が嵌設されている。
給電コイル２１０は副走査方向に一定間隔で列設されている。揺動軸８０２の中心からガイドピン８０１の中心までの距離は、副走査方向に隣り合う給電コイル２１０の中心間隔Ｄ２の１／４に等しくなっている。
【００５１】
ガイド板７０１には、ガイド孔７０１ｇが設けられている。ガイド孔７０１ｇは、副走査方向に長尺かつ波形の貫通孔である。ガイド孔７０１ｇにはガイドピン８０１が差し込まれる。このようにすれば、キャリッジ２３０の移動に伴って、ガイドピン８０１が上下動しながら副走査方向に導かれる。
特に、副走査方向において各給電コイル２１０の中心に対応する位置においては、ガイド孔７０１ｇがもっとも高くなっている。また、隣り合う給電コイル２１０の中間に対応する位置においては、ガイド孔７０１ｇが最も低くなっている。更に、給電コイル２１０の中心と、隣り合う給電コイル２１０の中間位置との中間に対応する位置（給電コイル２１０の中心からＤ２／４離れた位置）においては、ガイド孔７０１ｇとガイド孔７００ｇとが同じ高さになっている。
【００５２】
このため、副走査方向において、揺動軸８０２が給電コイル２１０の中心に対応する位置や隣り合う給電コイル２１０の中間に対応する位置にある場合には、ガイドピン８０１が給電コイル２１０の中心と、隣り合う給電コイル２１０の中間位置との中間に対応する位置になる。
従って、揺動軸８０２とガイドピン８０１とが同じ高さになるので、受電コイル２００のコイル軸が鉛直になり、コイル面は水平になる。特に、副走査方向において、揺動軸８０２が給電コイル２１０の中央に対応する位置にある場合には、図８（ａ）の（ｉ）に示されるように、受電コイル２００が給電コイル２１０ａに正対するので、結合係数が最も高くなる。
【００５３】
図８（ａ）の（ｉ）の位置から（ｉｉ）の位置へ揺動軸８０２が移動すると、ガイド孔７００ｇに導かれる揺動軸８０２の高さは変わらないが、ガイド孔７０１ｇに導かれるガイドピン８０１の高さは低下する。これによって、受電コイル２００のコイル軸が給電コイル２１０ａに向くように、受電コイル２００が揺動する。
図８（ａ）の（ｉｉ）の位置から、給電コイル２１０ａ、２１０ｂの中間位置を通過して（ｉｉｉ）の位置へ揺動軸８０２が移動すると、揺動軸８０２の高さは変わらないが、ガイドピン８０１はガイド孔７０１ｇに導かれて上昇する。これによって、受電コイル２００のコイル軸が給電コイル２１０ｂに向くように、受電コイル２００が揺動する。
【００５４】
図８（ａ）の（ｉｉｉ）の位置から（ｉｖ）の位置へ揺動軸８０２が移動すると、揺動軸８０２の高さは変わらないが、ガイドピン８０１はガイド孔７０１ｇに導かれて下降する。その結果、揺動軸８０２とガイドピン８０１とが同じ高さになる。これによって、受電コイル２００が給電コイル２１０ｂに正対する。
キャリッジ２３０が更に移動すると、受電コイル２００は上記のような揺動を繰り返す。
（３−３）給電コイル２１０の揺動機構
次に、給電コイル２１０を揺動させるための揺動機構について説明する。
【００５５】
図９（ａ）は、給電コイル２１０を揺動させるためのガイド機構を説明する図であり、図９（ｂ）は、ガイド板７１０を往復移動させた場合における給電コイル２１０の姿勢の変化を示す図である。
給電コイル２１０は、揺動軸９０２を中心として揺動する。揺動軸９０２は、平面視においてキャリッジ２３０の移動方向に直交する方向に向き、かつ軸心が給電コイル２１０の中心においてコイル軸と直交するように、一方の端部において給電コイル２１０に固定されている。揺動軸９０２は、不図示の軸受によって回転可能に支持されている。
【００５６】
揺動軸９０２の給電コイル２１０に固定されている端部とは反対側の端部にはアーム９００が固定されている。アーム９００は、揺動軸９０２に垂直な主面を有する平板な部材である。アーム９００は、揺動軸９０２の固定位置とは異なる位置にガイドピン９０１が固定されている。ガイドピン９０１は円柱状の部材であって、アーム９００の他方の主面に垂直に固定されている。
【００５７】
ガイド板７１０にはガイド孔７１０ｇが設けられており、ガイド孔７１０ｇにはガイドピン９０１が差し込まれる。ガイド孔７１０ｇはＳ字形になっている。図９（ａ）においては、ガイド孔７１０ｇは上流側が高く、下流側が低くなっている。図９（ｂ）に示されるように、ガイド板７１０においては、端部の高低が互いに逆になっているガイド孔７１０ｇが副走査方向に沿って交互に設けられている。
【００５８】
このため、ガイド板７１０が下流側へ移動すると、図９（ａ）の（ｉ）に示されるように、ガイドピン９０１の位置が揺動軸９０２よりも高くなって、給電コイル２１０のコイル面が傾斜する。なお、本実施の形態においては、ガイドピン９０１の延長上に給電コイル２１０が位置する構成となっているが、ガイド孔７１０ｇの位置及び形状に応じてガイドピン９０１と給電コイル２１０との位置関係を変更してもよい。
【００５９】
ガイド板７１０が上流側へ移動すると、図９（ａ）の（ｉｉｉ）に示されるように、ガイドピン９０１の位置が揺動軸９０２よりも低くなって、給電コイル２１０のコイル面が図９（ａ）の（ｉ）とは反対側に傾斜する。また、ガイド板７１０がこれらの中間にある場合には、図９（ａ）の（ｉｉ）に示されるように、ガイドピン９０１の位置が揺動軸９０２と同じ高さになるので、給電コイル２１０のコイル面が水平になる。
【００６０】
図９（ｂ）の（ｉ）に示されるように、ガイド板７１０が上流側にある場合には、副走査方向に沿って交互に設けられているガイド孔７１０ｇの端部の高低が互いに逆になっているので、副走査方向に隣り合う給電コイル２１０どうしが逆向きに揺動する。これによって、給電コイル２１０のコイル面が副走査方向に沿って互い違いに傾斜する。
キャリッジ２３０が中心間隔Ｄ２の１／２だけ移動すると、これに合せてガイド板７１０が下流側へ移動して、図９（ｂ）の（ｉ）の位置から（ｉｉ）の位置に移り、ガイドピン９０１がガイド孔７１０ｇの下流側端部から中央部に導かれる。すると、給電コイル２１０が揺動して、コイル面が水平になる。この状態において、例えば、受電コイル２００は給電コイル２１０ａに正対する。
【００６１】
キャリッジ２３０が更に中心間隔Ｄ２の１／２だけ移動すると、これに合せてガイド板７１０が更に下流側へ移動して、図９（ｂ）の（ｉｉ）の位置から（ｉｉｉ）の位置に移り、ガイドピン９０１がガイド孔７１０ｇの上流側の端部に導かれるので、給電コイル２１０が更に揺動して、コイル面が傾斜する。なお、（ｉｉｉ）における給電コイル２１０のコイル面の傾斜角は、（ｉ）における給電コイル２１０のコイル面の傾斜角と逆になっている。この状態において、例えば、受電コイル２００の中心は、給電コイル２１０ａ、２１０ｂの中間に位置する。
【００６２】
キャリッジ２３０が更に中心間隔Ｄ２の１／２だけ移動すると、これとは逆にガイド板７１０が上流側へ移動して、図９（ｂ）の（ｉｉｉ）の位置から（ｉｖ）の位置（（ｉｉ）の位置と同じ）に移り、ガイドピン９０１がガイド孔７１０ｇの中央部に導かれるので、給電コイル２１０のコイル面が水平になる。この状態において、例えば、受電コイル２００は給電コイル２１０ｂに正対する。
【００６３】
キャリッジ２３０が更に中心間隔Ｄ２の１／２だけ移動すると、ガイド板７１０は更に上流側へ移動して、図９（ｂ）の（ｉｖ）の位置から（ｖ）の位置（（ｉ）の位置と同じ）に移り、ガイドピン９０１がガイド孔７１０ｇの下流側の端部に導かれるので、給電コイル２１０のコイル面が傾斜する。この状態において、例えば、受電コイル２００の中心は、給電コイル２１０ｂ、２１０ｃの中間に位置する。
【００６４】
このように、キャリッジ２３０の移動に合わせて、ガイド板７１０が水平方向に往復移動することにより、給電コイル２１０が揺動する。
なお、キャリッジ２３０は、不図示のステッピングモーターを駆動源としてワイヤー駆動により副走査方向にスライド移動される。キャリッジ２３０の現在位置は、ホーム位置から現在位置までの移動に要したステップ数を計数することによって検出される。
【００６５】
また、ガイド板７１０は、例えば、ラックピニオン機構によって往復移動する。ピニオンギアはステッピングモーターにて回転駆動される。スキャナー１０１は制御部を備えており、この制御部はキャリッジ２３０の位置に応じてステッピングモーターを回転させることによって、副走査方向におけるガイド板７１０の位置を調整する。
（３−４）受電コイル２００と給電コイル２１０との磁気的な結合度
次に、受電コイル２００と給電コイル２１０との磁気的な結合度（結合係数）について説明する。
【００６６】
図１０は、受電コイル２００と給電コイル２１０との位置関係と結合係数との関係を説明する図であって、（ａ）には、受電コイル２００と給電コイル２１０とが共にコイル面を水平に保ったまま受電コイル２００を移動させる場合が示されている。また、（ｂ）には受電コイル２００の移動に合わせて、受電コイル２００と給電コイル２１０との姿勢を変更する場合が示されている。
【００６７】
図１０（ａ）の（ｉ）に示されるように、受電コイル２００と給電コイル２１０とが正対している場合には、受電コイル２００と給電コイル２１０との結合係数が最も高くなる。
しかしながら、受電コイル２００が平行移動して、給電コイル２１０と正対する位置から外れると、図１０（ａ）の（ｉｉ）に示されるように、給電コイル２１０が発生させる磁束のうち破線で示される磁束１００１は受電コイル２００を通過しなくなり、誘導起電力に寄与しなくなる。このため、受電電圧が低下する。更に、受電コイル２００が平行移動すると、受電コイル２００を通過する磁束１００２が減少するので、受電電圧が更に低下する（図１０（ａ）の（ｉｉｉ））。
【００６８】
一方、受電コイル２００の移動に合わせて、受電コイル２００と給電コイル２１０との姿勢を変更すれば、受電コイル２００と給電コイル２１０との結合係数を高め、延いては受電電圧の低下を抑制することができる。
図１０（ｂ）の（ｉ）に示されるように、受電コイル２００の移動に合わせて、受電コイル２００のコイル軸を給電コイル２１０ａの方へ向けるように受電コイル２００を傾斜させると共に、給電コイル２１０ａのコイル軸を受電コイル２００の方へ向けるように給電コイル２１０ａを傾斜させると、図１０（ａ）の（ｉｉ）と比較して、給電コイル２１０ａが発生させる磁束のうち受電コイル２００を通過する磁束数を多くすることができる。すなわち、受電コイル２００と給電コイル２１０ａとの結合係数の低下を抑制することができるので、受電電圧の低下を抑制することができる。
【００６９】
更に、受電コイル２００を移動させる際には、図１０（ａ）の（ｉｉ）に示されるように、受電コイル２００の傾斜を緩めることによって、移動方向の先にある次の給電コイル２１０ｂが発生させる磁束が受電コイル２００を通過し易くなる。この意味においても、受電コイル２００の受電電圧の低下を抑制することができる。その後、キャリッジ２３０が移動するのに従って、受電コイル２００は更に傾斜を緩める。受電コイル２００の中心が給電コイル２１０ａ、２１０ｂの中間に到達すると、受電コイル２００はコイル面を水平にする。
【００７０】
その後、図１０（ａ）の（ｉｉｉ）に示されるように、受電コイル２００を水平にして給電コイル２１０ｂに正対させれば、給電コイル２１０ｂが発生させる磁束を効率よく受電コイル２００に通過させることができる。なお、給電コイル２１０ａ、２１０ｂの中間から給電コイル２１０ｂとの正対位置へ移動する途中においても、受電コイル２００のコイル軸を給電コイル２１０ｂの方へ向けるように受電コイル２００を傾斜させると共に、給電コイル２１０ｂのコイル軸を受電コイル２００の方へ向けるように給電コイル２１０ｂを傾斜させれば、受電電圧の低下を更に抑制することができる。
【００７１】
図１１は、受電コイル２００の下流側にある給電コイル２１０も傾斜させた場合を例示する図である。図１１（ａ）に示されるように、受電コイル２００の中心と給電コイル２１０ａの中心とが副走査方向において同じ位置にある場合には、受電コイル２００と給電コイル２０１ａとの何れもコイル面を水平にすれば、互いにコイル軸が重なり合う。従って、受電コイル２００と給電コイル２１０ａとが正対するので、結合係数並びに受電電圧が最も高くなる。
【００７２】
図１１（ｂ）に示されるように、受電コイル２００が図１１（ａ）の状態から矢印Ａ方向に移動する際には、受電電圧の低下を抑制するために、受電コイル２００のコイル軸が給電コイル２１０ａに向かうように受電コイル２００を揺動させると共に、給電コイル２１０ａのコイル軸が受電コイル２００に向かうように給電コイル２１０ａを揺動させる。この場合において、給電コイル２１０ｂを予め、給電コイル２１０ａとは反対向きに揺動させておく。
【００７３】
図１１（ｃ）に示されるように、受電コイル２００が図１１（ｂ）の状態から矢印Ａ方向に更に移動する際には、給電コイル２１０ｂからの受電電圧を可能な限り高くするために、受電コイル２００のコイル軸が給電コイル２１０ｂに向かうように受電コイル２００を揺動させる。なお、給電コイル２１０ｂは、コイル軸が受電コイル２００に向かうように予め揺動させてある。
【００７４】
図１１（ｄ）に示されるように、受電コイル２００が図１１（ｃ）の状態から矢印Ａ方向に更に移動して、受電コイル２００と給電コイル２１０ａとが正対すると、再び結合係数並びに受電電圧が最も高くなる。更に、受電コイル２００が移動して、図１１（ｅ）に示されるよう状態になったら、図１１（ｂ）と同様に、受電コイル２００と給電コイル２１０ｂ、２１０ｃを揺動させれば、受電電圧の低下を抑制することができる。
【００７５】
このようにして、上述した揺動機構によって、受電コイル２００と給電コイル２１０との双方を揺動させれば、受電電圧の低下を抑制することができる。従って、光源光量が変動することによる読み取り画質の低下を抑制することができる。また、給電コイル２１０への給電電圧を低くすることができるので、消費電力を低減することもできる。
［４］第４の実施の形態
次に、本発明の第４の実施の形態について説明する。
【００７６】
本実施の形態に係る画像形成装置は、上記第１の実施の形態に係る画像形成装置と概ね共通の構成を備える一方、キャリッジの移動に合わせて受電コイルをキャリッジに対して水平方向に往復移動させることによって、受電コイルの移動速度を非線形に変化させる点において相違している。以下、この相違点を中心に本実施の形態を説明する。
（４−１）キャリッジ２３０の構成
まず、本実施の形態に係るキャリッジ２３０の構成について説明する。
【００７７】
図１２に示されるように、キャリッジ２３０には、キャリッジ２３０の移動に合わせて矢印Ｄ方向に回転するカム１２０１、カムに向かって水平方向に付勢されているガイドピン１２０２、ガイドピン１２０２を水平方向に導くガイド孔１２０３及びガイドピン１２０２に対して受電コイル２００並びに電源回路基板２０１を固定するアーム１２０４を備えている。
【００７８】
図１２（ａ）に示されるように、カム１２０１の半径が最も小さい箇所にガイドピン１２０２が当接している場合には、不図示の付勢手段によってガイドピン１２０２がカム１２０１に押し付けられているので、ガイドピン１２０２はガイド孔１２０３の最も下流側に位置する。受電コイル２００は、アーム１２０４を介してガイドピン１２０２に固定されているので、キャリッジ２３０に対して最も下流側に位置する。
【００７９】
図１２（ａ）に示される状態から、キャリッジ２３０の移動に合わせてカム１２０１が矢印Ｄ方向に９０度回転すると、図１２（ｂ）に示されるように、ガイドピン１２０２の当接位置におけるカム１２０１の半径が大きくなるので、ガイドピン１２０２がガイド孔１２０３に案内されてキャリッジ２３０の上流側へ移動する。これによって、ガイドピンの移動距離は矢印Ｅのようにキャリッジ２３０の移動距離Ａよりも小さくなり、受電コイル２００もまたキャリッジ２３０に対して上流側へ移動する。
【００８０】
図１２（ｂ）に示される状態から、キャリッジ２３０の移動に合わせてカム１２０１が矢印Ｄ方向に更に９０度回転すると、図１２（ｃ）に示されるように、ガイドピン１２０２の当接位置におけるカム１２０１の半径が更に大きくなるので、ガイドピン１２０２がガイド孔１２０３に案内されて更にキャリッジ２３０の上流側へ移動する。これによって、ガイドピンの移動距離は矢印Ｆのようにキャリッジ２３０の移動距離Ａよりも小さくなり、受電コイル２００もまたキャリッジ２３０に対して更に上流側へ移動する。
【００８１】
図１２（ｃ）に示される状態から、キャリッジ２３０の移動に合わせてカム１２０１が矢印Ｄ方向に更に９０度回転すると、図１２（ｄ）に示されるように、ガイドピン１２０２の当接位置におけるカム１２０１の半径が更に大きくなるので、ガイドピン１２０２がガイド孔１２０３に案内されて更に上流側へ移動する。これによって、ガイドピンの移動距離は矢印Ｇのようにキャリッジ２３０の移動距離Ａよりも小さくなり、受電コイル２００もまたキャリッジ２３０に対して更に上流側へ移動する。
【００８２】
図１２（ｄ）に示される状態から、キャリッジ２３０の移動に合わせてカム１２０１が矢印Ｄ方向に更に９０度回転すると、図１２（ｅ）に示されるように、ガイドピン１２０２の当接位置におけるカム１２０１の半径が最も小さい状態に戻るので、ガイドピン１２０２がガイド孔１２０３に案内されて最も下流側へ移動する。これによって、ガイドピンの移動距離は矢印Ｈのようにキャリッジ２３０の移動距離Ａよりも大きくなり、受電コイル２００もまたキャリッジ２３０に対して最も下流側へ移動して、図１２（ａ）の状態に戻る。
【００８３】
このようにすれば、キャリッジ２３０が等速移動する際に、受電コイル２００の移動速度を非線形に変化させることができる。
（４−２）受電コイル２００と給電コイル２１０との位置関係
次に、受電コイル２００と給電コイル２１０との位置関係について説明する。
本実施の形態においては、キャリッジ２３０が上記のような構成を備えることによって、キャリッジ２３０が移動する際には、受電コイル２００と給電コイル２１０とが平面視において重なり合う時間が長くなる。
【００８４】
図１３は、キャリッジ２３０の移動に伴う受電コイル２００と給電コイル２１０の位置関係の変化を表す図である。
図１３（ａ）においては、受電コイル２００と給電コイル２１０ａがほぼ正対しているので、結合係数が高く、従って受電電圧も高くなっている。これに対して、図１３（ｂ）、（ｃ）、（ｄ）に示されるように、キャリッジ２３０が副走査方向に移動するに従って、キャリッジ２３０に対して受電コイル２１０が相対的に上流側へ移動すると、受電コイル２００が給電コイル２１０との正対位置から離れる速度が低下する。このため、受電コイル２００と給電コイル２１０ａとが平面視において重なり合う時間が長くなるので、結合係数の低下を抑制することができる。従って、受電コイル２００がキャリッジ２３０に固定されている場合と比較して、受電電圧の低下を抑制することができる。
【００８５】
その後、キャリッジ２３０が更に移動して、受電コイル２００と給電コイル２１０ａとの結合係数よりも、受電コイル２００と給電コイル２１０ｂとの結合係数の方を高くすることができるようになったら、受電コイル２００をキャリッジ２３０に対して相対的に下流側へ移動させて、図１３（ｅ）に示されるように、受電コイル２００と給電コイル２１０ｂとをほぼ正対させる。このような電圧が変化するように、受電コイル２００と給電コイル２１０との位置関係に基づいてカム１２０１の形状を設定すれば、受電コイル２００と給電コイル２１０ｂとの結合係数が高くなるので、受電電圧を高くすることができる。
【００８６】
更に、キャリッジ２３０が移動する場合には、上記と同様に、キャリッジ２３０に対して受電コイル２００を相対的に上流側へ移動させることによって、受電コイル２００と給電コイル２１０ｂとの結合係数の低下を抑制する（図１３（ｆ）、（ｇ））。
なお、キャリッジ２３０に対して受電コイル２００を往復移動させる機構が上述のカム機構に限定されないのは言うまでもなく、他の機構を用いて受電コイル２００を往復移動させてもよい。
（４−３）動作例
例えば、上記第２の実施の形態において、２つの受電コイル２００を互いに１／２位相ずらして往復移動させれば、何れの受電コイル２００についても受電電圧の低下を抑制して、受電電圧が高い状態をより長い期間に亘って維持することができる。従って、図１４に示されるように、キャリッジ２３０への最低供給電圧ＶLを高くすることができる。なお、図１４において、横軸はキャリッジ２３０の移動方向における位置を表し、縦軸はキャリッジ２３０への供給電圧の高さを表している。このように、本実施の形態によれば、受電電圧が高い状態を長く維持することができるので、受電電圧の低下を抑制することができると共に、受電電圧変動幅を小さくすることができる。
【００８７】
［５］第５の実施の形態
次に、本発明の第５の実施の形態について説明する。
本実施の形態に係る画像形成装置は、上記第１の実施の形態に係る画像形成装置と概ね共通の構成を備える一方、キャリッジの移動に合わせて給電コイルを往復移動させることによって、給電コイルの移動速度を非線形に変化させる点において相違している。以下、この相違点を中心に本実施の形態を説明する。
（５−１）給電コイル２１０の駆動機構
まず、給電コイル２１０の駆動機構について説明する。
【００８８】
本実施の形態に係るスキャナー１０１の装置本体には、図１５に示されるような、給電コイル２１０の駆動機構１５００が設けられている。
駆動機構１５００は、いわゆるラックピニオン機構であって、平面視において長尺矩形の平板状ラック１５０１の一辺に設けられた歯にピニオンギア１５０２が歯合する。ラック１５０１の主面上には給電コイル２１０が固定されている。ピニオンギア１５０２の回転によって、ラック１５０１が副走査方向に往復移動するのに従って、給電コイル２１０もまた往復駆動する。
（５−２）受電コイル２００と給電コイル２１０との位置関係
次に、受電コイル２００と給電コイル２１０との位置関係について説明する。
【００８９】
上記のような給電コイル２１０の駆動機構１５００を備えることによって、キャリッジ２３０が移動する際には、受電コイル２００と給電コイル２１０とが平面視において重なり合う時間が長くなる。
図１６（ａ）においては、受電コイル２００と給電コイル２１０ａがほぼ正対しているので、結合係数が高く、従って受電電圧も高くなっている。この状態からキャリッジ２３０が移動すると、この移動に合わせてピニオンギア１５０２が回転し、図１６（ｂ）に示されるように、ラック１５０１が距離Ｉだけ移動する。給電コイル２１０ａの移動距離Ｉは受電コイル２００の移動距離Ａよりも小さいので結合係数は低下する。
【００９０】
しかしながら、給電コイル２１０ａがスキャナー１０１本体に固定されている場合と比較すれば、受電コイル２００と給電コイル２１０ａとが正対位置から外れる速度が低下するので、結合係数の低下を抑制することができる。従って、受電電圧の低下を抑制することができる。
図１６（ｂ）に示される状態から、図１６（ｃ）に示されるようにキャリッジ２３０が更に移動して、給電コイル２１０ａが矢印Ｊ方向に更に移動した場合においても、給電コイル２１０ａがスキャナー１０１本体に固定されている場合と比較すれば、受電コイル２００と給電コイル２１０ａとが正対位置から外れる速度が低下する。これによって、結合係数の低下を抑制することができるので、受電電圧の低下を抑制することができる。
【００９１】
図１６（ｃ）に示される状態から図１６（ｄ）に示される状態に移行した場合も同様に受電電圧の低下が抑制される。
図１６（ｄ）に示される状態からキャリッジ２３０が更に移動すると、図１６（ｅ）に示されるように、ラック１５０１が上流側へ戻るので、今度は給電コイル２１０ｂが受電コイル２００と正対する。従って、両者の結合係数が最も高くなり、受電電圧がもっとも高くなる。
【００９２】
このように、本実施の形態によれば受電電圧の低下を抑制することができる。また、上記第４の実施の形態のように、キャリッジ２３０に対して受電コイル２００を往復移動させる場合と比較して、キャリッジ２３０の構成が簡便になると共に振動し難くなる。従って、振動に起因する読み取り画像の品質低下を防止することもできる。
［６］第６の実施の形態
次に、本発明の第６の実施の形態について説明する。
【００９３】
本実施の形態に係る画像形成装置は、上記第１の実施の形態に係る画像形成装置と概ね共通の構成を備える一方、原稿サイズに合わせて給電コイルの間隔を変化させる点において相違している。以下、この相違点を中心に本実施の形態を説明する。
（６−１）給電コイル２１０の駆動機構
一般的に、スキャナー１０１は様々なサイズの原稿を読み取る場合があり、特に小サイズの原稿を読み取る際には大サイズの原稿を読み取る場合よりも高い生産性が要求される。このため、本実施の形態に係るスキャナー１０１は次のように給電コイル２１０の駆動機構を備えている。
【００９４】
図１７は、給電コイル２１０の駆動機構を示す平面図であって、（ａ）は大サイズ原稿を読み取る場合を示し、（ｂ）は小サイズ原稿を読み取る場合を示す。
図１７（ａ）に示されるように、スキャナー１０１は給電コイル２１０の駆動機構として移動ガイド板１７００を備えている。移動ガイド板１７００の一端にはラック１７０２が設けられており、ピニオンギア１７０３と歯合する。ピニオンギア１７０３の回転によって、移動ガイド板１７００は主走査方向に往復移動する。
【００９５】
移動ガイド板１７００には、副走査方向における給電コイル２１０の間隔を変更するための複数の移動孔１７０１が設けられている。移動孔１７０１どうしの間隔は、画像形成装置１の正面側から奥側に向かうにつれては狭くなっている。
移動ガイド板１７００上には、固定ガイド板１７２０が配設されている。固定ガイド板１７２０はスキャナー１０１の装置本体に固定されている。固定ガイド板１７２０にはスライド孔１７２１、１７２２、１７２３が設けられている。
【００９６】
固定ガイド板１７２０上には支持板１７１０が配設されている。支持板１７１０の上面にはそれぞれ給電コイル２１０（図示省略）が取着されている。支持板１７１０の下面には、移動ピン１７１１、スライドガイド１７１２及びスライドコロ１７１３が設けられている。
移動ピン１７１１は、固定ガイド板１７２０のスライド孔１７２３を貫通して、移動ガイド板１７００の移動孔１７０１に差し込まれている。スライドガイドピン１７１２はスライド孔１７２１に差し込まれており、スライドコロ１７１３はスライド孔１７２２に差し込まれている。
【００９７】
このため、ピニオンギア１７０３が回転して、移動ガイド板１７００が画像形成装置１の奥側から正面側に向かって矢印Ｋ方向に移動すると、図１７（ｂ）に示されるように、移動ピン１７１１が移動孔１７０１によって、キャリッジ２３０の副走査方向の下流側から上流側へ導かれる。
同時に、スライドガイドピン１７１２はスライド孔１７２１によって、また、スライドコロ１７１３はスライド孔１７２２によって、副走査方向の下流側から上流側へ導かれる。これによって、支持板１７１０の回転が防止される。
【００９８】
このようにすれば、ラックピニオン機構によって支持板１７１０の間隔を変更することができるので、給電コイル２１０の間隔を変更することができる。図１８（ａ）に示されるように、原稿サイズが大きいほど給電コイル２１０の間隔を広くすれば、大サイズの原稿全体から画像を読み取ることができる。
また、原稿サイズが小さいほど給電コイル２１０の間隔を狭くすれば、図１８（ｂ）に示されるように、給電コイル２１０どうしのギャップがなくなるので、受電電圧を高く維持することができる。従って、小サイズ原稿を読み取る際に受電電圧を高くすることができる。
【００９９】
［７］第７の実施の形態
次に、本発明の第７の実施の形態について説明する。
本実施の形態に係る画像形成装置は、上記第１の実施の形態に係る画像形成装置と概ね共通の構成を備える一方、キャリッジの位置に合わせて給電コイルに印加する給電電圧を変化させる点において相違している。以下、この相違点を中心に本実施の形態を説明する。
（７−１）スキャナー１０１の構成
本実施の形態に係るスキャナー１０１の構成は、給電コイル２１０に給電する給電回路の構成を除いて、上記第１の実施の形態に係るスキャナー１０１と同様である。
【０１００】
すなわち、給電コイル２１０は、キャリッジ２３０の移動方向に沿って一定間隔で列設されている。受電コイル２００ａ、２００ｂは、副走査方向に列設されており、受電コイル２００ａが上流側に位置し、受電コイル２００ｂが下流側に位置する。受電コイル２００ａ、２００ｂの中心間隔Ｄ１は、給電コイル２１０の中心間隔Ｄ２の１．５倍になっている。従って、受電コイル２００ａ、２００ｂは、キャリッジ２３０の移動に従って交互に給電コイル２１０と正対する。
（７−２）給電回路の構成
次に、給電コイル２１０の給電電圧を印加する給電回路の構成について説明する。図１９に示されるように、給電回路１９００は、制御部１９０１、給電コイル２１０毎のスイッチ１９０２及び電源１９０３を備えている。制御部１９０１は、副走査方向における受電コイル２００ａの中心位置に応じてスイッチ１９０２をオンオフすることによって、同時に１つの給電コイル２１０だけに給電電圧を印加する。
【０１０１】
具体的には、副走査方向において、受電コイル２００ｂよりも受電コイル２００ａの方が給電コイル２１０との正対位置に近い場合には受電コイル２００ａに対向する給電コイル２１０に給電電圧を印加し、さもなければ受電コイル２００ｂに対向する給電コイル２１０に給電電圧を印加する。
図２０（ａ）の例においては、受電コイル２００ａが給電コイル２１０ｂに正対しているので、給電コイル２１０ｂのみが給電電圧を印加されており、受電コイル２００ａに受電電圧が発生する（２００１）。一方、給電コイル２１０ｂ以外の給電コイル２１０ａ、２１０ｃ、２１０ｄ等は給電電圧を印加されていないので、受電コイル２００ｂには受電電圧は発生しない（２００２）。
【０１０２】
しかしながら、キャリッジ２３０の移動に伴って、受電コイル２００ａ、２００ｂに対向する給電コイル２１０ａ等に給電電圧が印加されるため、図２０（ｂ）に示されるように、キャリッジ２３０の移動に伴う受電電圧の変化は上記第１の実施の形態と同様になり、受電コイル２００ａ、２００ｂの受電電圧は、互いに一方が低下すると他方が上昇するというように相補的に変動する（図２０（ｂ））。
【０１０３】
受電コイル２００に対向していない給電コイル２１０に給電電圧を印加しても、給電コイル２１０が受電コイル２００に磁気的に結合していなければ、受電電圧の発生には寄与しない。従って、受電電圧の発生に寄与しない給電コイル２１０に給電電圧を印加しなくても受電電圧は変化しないので、キャリッジ２３０の移動に伴う受電電圧の変化は上記第１の実施の形態と同様になる。
【０１０４】
また、受電電圧の発生に寄与しない給電コイル２１０に給電電圧を印加しても、負荷として単に磁束を発生させているだけになり、給電回路１９００にとしては無駄な消費電流が流れることになる。従って、受電電圧の発生に必要な給電コイル２１０にのみ給電電圧を印加すれば、受電コイル２００の受電電圧を低下させることなく、消費電力を削減することができる。
【０１０５】
図２０（ｃ）は、キャリッジ２３０の移動方向における受電コイル２００ａの中心位置と給電コイル２１０毎の給電電圧の印加の有無との関係を示す給電テーブルである。給電テーブルにおいては、まず受電コイル２００ａが給電コイル２１０ａに対向する場合に給電コイル２１０ａに給電電圧が印加される。これによって、図２０（ｂ）に示されるように、受電コイル２００ａに受電電圧が発生する。
【０１０６】
次に、キャリッジ２３０が移動し、受電コイル２００ａの中心が給電コイル２１０ａの中心から給電コイル２１０の中心間隔の１／４以上進むと、受電コイル２００ａと給電コイル２１０ａとの結合係数よりも、受電コイル２００ｂと給電コイル２１０ｃとの結合係数の方が大きくなる。このため、給電コイル２１０ａへの給電電圧の印加が停止されると共に、給電コイル２１０ｃへの給電電圧の印加が開始される。これによって、図２０（ｂ）に示されるように、受電コイル２００ａの受電電圧が減少すると共に、受電コイル２００ｂの受電電圧が増大する。
【０１０７】
更に、キャリッジ２３０が移動し、受電コイル２００ａの中心が給電コイル２１０ａの中心から更に給電コイル２１０の中心間隔の１／４以上進むと、受電コイル２００ａと給電コイル２１０ａとの結合係数の方が、受電コイル２００ｂと給電コイル２１０ｃとの結合係数よりも大きくなる。このため、給電コイル２１０ｃへの給電電圧の印加が停止されると共に、給電コイル２１０ｂへの給電電圧の印加が開始される。これによって、図２０（ｂ）に示されるように、受電コイル２００ｂの受電電圧が減少すると共に、受電コイル２００ａの受電電圧が増大する。
【０１０８】
キャリッジ２３０の移動に合わせて、給電回路１９００は上記のような切替え動作を繰り返す。このようにすれば、受電電圧の発生に寄与しない給電コイルへの電圧印加が防止されるので、消費電力の無駄を削減することができる。
［８］変形例
以上、本発明を実施の形態に基づいて説明してきたが、本発明が上述の実施の形態に限定されないのは勿論であり、以下のような変形例を実施することができる。
（８−１）上記実施の形態においては、キャリッジ２３０に原稿に光照射するための光源と画像読み取り部が搭載された一体型のユニットスキャン構造を例にとって説明したが、本発明がこれに限定されないのは言うまでもなく、これに代えて、移動部に照明用光源とミラーのみを配置し、画像読み取り部をスキャナーの装置本体に配置した構成にしてもよい。いずれの構成においても本発明を適用して、その効果を得ることができる。
（８−２）上記第７の実施の形態においては、給電電圧を印加される給電コイル２１０が常時１個になるように給電電圧を印加する場合を例にとって説明したが、本発明がこれに限定されないのは言うまでもなく、これに代えて次のようにしてもよい。
【０１０９】
例えば、上記第７の実施の形態に対して給電電圧の印加開始タイミングを早めたり、印加停止タイミングを遅らせたりすることによって、複数の給電コイル２１０に給電電圧を印加する期間（以下、「オーバーラップ期間」という。）を設けてもよい。図２１（ａ）は第７の実施の形態に係る給電テーブルを示し、図２１（ｂ）はオーバーラップ期間を設けた場合の給電テーブルを示している。
【０１１０】
組み立て精度や部品の個体差などに起因してコイルの位置や特性には設計値と実際の値とに差が生じ、想定通りの出力が得られない可能性がある。このため、給電コイル２１０への給電電圧の印加開始、停止タイミングについては時間的な誤差が発生し得るため、受電コイル２００ａ、２００ｂの何れにも受電電圧が発生しないタイミングが生じる恐れがある。これに対して、図２１（ｂ）のように、第７の実施の形態に係る給電テーブルよりも給電電圧の印加開始タイミングを早め、かつ印加停止タイミングを遅らせてオーバーラップ期間を設ければ、確実に受電電圧を発生させることができるので、受電電圧の低下に起因する原稿の読み取り画質の低下を確実に防止することができる。
【０１１１】
また、副走査方向に隣り合う２つの給電コイル２１０に給電してもよい。例えば、上流側から順に給電コイル２１０ａ、２１０ｂ、２１０ｃが列設されている場合を考える。受電コイル２００が給電コイル２１０ａに正対する位置から、給電コイル２１０ｂに正対する位置まで移動する場合には給電コイル２１０ａ、２１０ｂに給電するのが望ましい。このようにすれば、給電コイル２１０ａ、２１０ｂの取り付け位置に誤差が生じても、確実に受電電圧を発生させることができる。
【０１１２】
同様に、受電コイル２００が給電コイル２１０ａに正対する位置から、給電コイル２１０ｂに正対する位置まで移動する場合には給電コイル２１０ａへの給電を停止すると共に、給電コイル２１０ｂ、２１０ｃに給電するのが望ましい。このようにすれば、受電電圧の発生に寄与しない給電コイル２１０ａへの給電を停止するので、消費電力を節減することができる。
（８−３）上記第７の実施の形態においては、受電コイル２００ａの中心位置に応じて給電コイル２１０を切り替えて給電する場合を例にとって説明したが、本発明がこれに限定されないのは言うまでもなく、これに代えて次のようにしてもよい。
【０１１３】
すなわち、受電コイル２００と給電コイル２１０との間の相対位置のばらつき、周辺の板金や環境の変化などに起因して磁気結合の度合いが設計値から異なってしまう可能性がある。このため、給電コイル２１０への給電電圧の印加開始、停止タイミングについては、受電コイル２００の受電電圧を計測して、受電電圧が所定の閾値以上になるように印刷開始、停止タイミングを補正してもよい。
（８−３−１）給電回路１９００の動作
図２２に示されるように、本変形例においては、受電コイル２００の一端が接地されており、他端が給電回路１９００の制御部１９０１に接続されている。これによって、制御部１９０１は受電電圧を検出する。
【０１１４】
図２３は、給電電圧の印加開始、停止タイミングを補正するために制御部１９０１が実行する処理を示すフローチャートである。図２３に示されるように、制御部１９０１は、スキャン開始信号を受け付けると（Ｓ２３０１：ＹＥＳ）、給電テーブルを読み込む（Ｓ２３０２）。また、給電テーブルの補正値がある場合には（Ｓ２３０３：ＹＥＳ）、補正値も読み込む（Ｓ２３０４）。そして、キャリッジ２３０のスキャン移動を開始する（Ｓ２３０５）。
【０１１５】
制御部１９０１は、キャリッジ２３０のスキャン移動中、受電コイル２００の受電電圧を監視して、検出した受電電圧値とキャリッジ２３０の移動ステップ値とを順次記憶する（Ｓ２３０６）。キャリッジ２３０のスキャン移動を完了したら（Ｓ２３０７：ＹＥＳ）、キャリッジ２３０をスキャン移動とは反対方向に移動させてホーム位置に戻す（Ｓ２３０８）。
【０１１６】
記憶しておいた移動ステップ値ごとの受電電圧値から各給電コイル２１０と受電コイル２００との正対位置を算出する（Ｓ２３０９）。受電コイル２００と給電コイル２１０とが正対したときに受電電圧が最も高くなることから、受電電圧値の極大値から正対位置を表す移動ステップ値を特定することができる。
その後、算出した正対位置と、給電テーブルの値とを比較して（Ｓ２３１０）、給電テーブルの補正が必要である場合には（Ｓ２３１１：ＮＯ）、補正値を記憶する（Ｓ２３１２）。補正値を記憶した後、またはステップＳ２３１１でＹＥＳの場合には処理を終了する。
（８−３−２）補正例
次に、補正例を示す。なお、スキャナー１０１の装置構成は上記第１の実施の形態と同様である。
【０１１７】
図２４（ａ）に示される例では、給電テーブルから予定される受電電圧（補正前）と、制御部１９０１による受電電圧の検出値とが異なっているため、受電電圧がピーク値となる位置、言い換えると給電コイル２１０の予定中心位置と実測中心位置とがそれぞれＥ１〜Ｅ１０だけずれている。これに対して、受電電圧が補正判定閾値を下回らないように給電テーブルを補正すると、補正後の受電電圧は補正判定閾値を上回るようになる。したがって、キャリッジ２３０に補正判定閾値以上の受電電圧を供給することができる。
【０１１８】
図２４（ｂ）の例でも、受電電圧の検出値が補正判定閾値を下回らないように給電テーブルを補正すれば、キャリッジ２３０の受電電圧値を安定させることができる。
なお、制御部１９０１は原稿を読み取るたびに受電電圧を検出して、上記補正を行ってもよいし、電源投入時や読み込みジョブを受け付けた初回にスキャン前のプレスキャン動作の際に受電電圧を検出して、上記補正を行ってもよい。このようにすれば、より効率の高い無線給電を行うことが可能になる。
【０１１９】
なお、プレスキャンには、読み取り機構を動作させるケースと、事前に上記の受電電圧のプロファイルを取得するための動作のみを行うケースとの、どちらもが含まれる。プレスキャン動作自体は読み取り動作を行わないため、原稿読み取り時のスキャン動作よりも早い速度でキャリッジ２３０を移動させて短時間に終えることが可能である。
（８−４）上記実施の形態においては、画像形成装置１がタンデム型のカラー複合機である場合を例にとって説明したが、本発明がこれに限定されないのは言うまでもなく、これに代えてタンデム型以外のカラー複合機に本発明を適用してもよいし、モノクロ複合機に適用してもよい。また、カラースキャナーやモノクロスキャナーといった画像読み取り装置や、更に通信機能を備えたファクシミリ装置に本発明を適用しても同様の効果を得ることができる。
【産業上の利用可能性】
【０１２０】
本発明に係る画像読取装置及び画像形成装置は、キャリッジへの無線給電を安定化する装置として有用である。
【符号の説明】
【０１２１】
１…………画像形成装置
１００……画像読取部
１０１……スキャナー
２３０……キャリッジ
２１０……給電コイル
２３１……光源
２３２……撮像素子
２００……受電コイル
３１０……倍電流整流回路
１９００…給電回路
【図１】
0006740743.tif 000002
【図２】
0006740743.tif 000003
【図３】
0006740743.tif 000004
【図４】
0006740743.tif 000005
【図５】
0006740743.tif 000006
【図６】
0006740743.tif 000007
【図７】
0006740743.tif 000008
【図８】
0006740743.tif 000009
【図９】
0006740743.tif 000010
【図１０】
0006740743.tif 000011
【図１１】
0006740743.tif 000012
【図１２】
0006740743.tif 000013
【図１３】
0006740743.tif 000014
【図１４】
0006740743.tif 000015
【図１５】
0006740743.tif 000016
【図１６】
0006740743.tif 000017
【図１７】
0006740743.tif 000018
【図１８】
0006740743.tif 000019
【図１９】
0006740743.tif 000020
【図２０】
0006740743.tif 000021
【図２１】
0006740743.tif 000022
【図２２】
0006740743.tif 000023
【図２３】
0006740743.tif 000024
【図２４】
0006740743.tif 000025